(57)【要約】【課題】モータ駆動による熱に起因する損傷の発生を抑制する技術を提供する。【解決手段】外周面に複数の図柄が付された円筒状の回転ドラム２２０と、回転ドラムを回転させるモータとを有し、モータは、回転ドラム２２０の内側に収まっており、回転ドラム２２０のモータと対向する内周面２２２ｂには、内周面２２２ｂから内側に突出し、空気を攪拌する羽根２２４が設けられている。【選択図】図５
2010115400.tif 000002
【特許請求の範囲】
【請求項１】
図柄を変動表示させる遊技機であって、
外周面に複数の前記図柄が付された円筒状の回転ドラムと、
前記回転ドラムを回転させるモータと、
を有し、
前記モータは、前記回転ドラムの内側に収まっており、
前記回転ドラムの前記モータと対向する内周面には、当該内周面から内側に突出し、空気を攪拌する攪拌部が設けられている
ことを特徴とする遊技機。
【請求項２】
前記攪拌部は、前記回転ドラムの回転軸方向の一端部側から他端部側へ板状に延びている
ことを特徴とする請求項１に記載の遊技機。
【請求項３】
前記攪拌部は、前記回転ドラムの回転軸方向の一端部側から他端部側へ螺旋状に延びている
ことを特徴とする請求項２に記載の遊技機。
【請求項４】
前記攪拌部は、前記内周面の周方向に等間隔に複数形成されている
ことを特徴とする請求項２または３に記載の遊技機。
【請求項５】
前記モータのコイル部に対向する部位における前記攪拌部の前記内周面から内側に突出する高さは、当該モータに干渉しない範囲で当該攪拌部を当該モータに近接させるように定められている
ことを特徴とする請求項１から４のいずれか１項に記載の遊技機。
【請求項６】
前記回転ドラムと、前記モータを有し当該回転ドラムを回転可能に保持するドラム保持部材とを有する複数のドラムユニットを、回転軸方向に隣接させて備え、
相互に隣接する前記回転ドラムの間が前記ドラム保持部材で仕切られている
ことを特徴とする請求項１から５のいずれか１項に記載の遊技機。
【発明の詳細な説明】
【技術分野】
【０００１】
本発明は、図柄を変動表示させる遊技機に関する。
【背景技術】
【０００２】
従来より、パチンコ遊技機やスロットマシンなどの遊技機として、図柄が付された複数個の回転ドラムをモータの回転駆動力を利用して回転させる遊技機が知られている。そして、この遊技機では、モータの熱に起因して発生する不具合を抑制するために種々の技術が提案されている。例えば、特許文献１に記載の遊技機は、リール（回転ドラム）駆動用のステッピングモータと、そのモータの駆動軸上に保持されたボスと、そのボスに対して回転しないように連結されたリール（回転ドラム）と、リールの内周に環状に設けられた複数の羽根からなるファン手段とを有する。そして、リールが回転するたびに一方向に空気流を生じさせている。
【０００３】
【特許文献１】実開平４−８８９８２号公報
【発明の開示】
【発明が解決しようとする課題】
【０００４】
限られたスペース内により多くの回転ドラム（リール）と回転ドラムを回転させるためのモータとを備える遊技機においては、部品点数が増加することなどに起因して、充分な空気流を発生させることが困難となるおそれがある。それゆえ、モータの駆動に起因して発生する熱が滞留し、回転ドラムなどの装置の構成部品の温度が上昇し、接着剤により回転ドラムに付された図柄や回転ドラム自体が損傷するおそれがある。
本発明は、モータ駆動による熱に起因する損傷の発生を抑制する遊技機を提供することにある。
【課題を解決するための手段】
【０００５】
本発明は、図柄を変動表示させる遊技機であって、外周面に複数の前記図柄が付された円筒状の回転ドラムと、前記回転ドラムを回転させるモータと、を有し、前記モータは、前記回転ドラムの内側に収まっており、前記回転ドラムの前記モータと対向する内周面には、当該内周面から内側に突出し、空気を攪拌する攪拌部が設けられていることを特徴とする遊技機である。
【０００６】
ここで、前記攪拌部は、前記回転ドラムの回転軸方向の一端部側から他端部側へ板状に延びていることが好適である。
また、前記攪拌部は、前記回転ドラムの回転軸方向の一端部側から他端部側へ螺旋状に延びていることが好適である。
また、前記攪拌部は、前記内周面の周方向に等間隔に複数形成されていることが好適である。
【０００７】
また、前記モータのコイル部に対向する部位における前記攪拌部の前記内周面から内側に突出する高さは、当該モータに干渉しない範囲で当該攪拌部を当該モータに近接させるように定められていることが好適である。
また、上記発明は、前記回転ドラムと、前記モータを有し当該回転ドラムを回転可能に保持するドラム保持部材とを有する複数のドラムユニットを、回転軸方向に隣接させて備え、相互に隣接する前記回転ドラムの間が前記ドラム保持部材で仕切られている遊技機に適用することが好適である。
【発明の効果】
【０００８】
本発明によれば、モータ駆動による熱に起因する損傷の発生を抑制することが可能になる。
【発明を実施するための最良の形態】
【０００９】
以下、添付図面を参照して、本発明の実施の形態について詳細に説明する。
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１０】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に図柄により報知したり、キャラクタの登場やアイテムの出現による予告演出を表示したりする。なお、画像表示部１１４については、後で詳述する。
また、遊技盤１１０の前面に、各種の演出に用いられる可動役物１１５および盤ランプ１１６を備えている。
【００１１】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１２】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。第２始動口１２２は、チューリップの花の形をした一対の回動部材が電動ソレノイドにより開閉すると共に点灯する電動チューリップ１２３を備えている。
【００１３】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。
【００１４】
また、遊技盤１１０の裏面には、内部抽選および当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配設されている。
【００１５】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３と、を備えている。この皿１５３には、例えば払い出しユニットによる払出球が払い出される。
【００１６】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００１７】
次に、画像表示部１１４の構成について説明する。
図２は、画像表示部１１４の正面図であり、図１における画像表示部１１４を拡大した図である。
画像表示部１１４は、図柄が付された回転ドラム２２０を複数（本実施の形態では９つ）備えており、各回転ドラム２２０は、収納ケース２５０（図３参照）内に収納される。
【００１８】
図３は、画像表示部１１４の構成を詳細に示す図である。
画像表示部１１４は、図３に示すように、上述した回転ドラム２２０と回転ドラム２２０が収納された収納ケース２５０とを有する図柄表示ユニット２００を備えている。また、画像表示部１１４は、収納ケース２５０の回転ドラム２２０側の開口部２５０ａを覆うとともに回転ドラム２２０に付された図柄を露出させるための窓３００ａが回転ドラム２２０と同数形成されたケースカバー３００を有する。また、画像表示部１１４は、ケースカバー３００よりもパチンコ遊技機１００の前面側に配置された液晶表示部４００と、液晶表示部４００よりもパチンコ遊技機１００の前面側に配置され液晶表示部４００の四隅と側面をカバーする外枠５００とを有する。
【００１９】
図柄表示ユニット２００は、図３に示すように、複数（本実施の形態では３つ）のドラムユニット２１０を収納ケース２５０内に所定間隔を置いて互いに隣接させて収納する。
図４は、ドラムユニット２１０の構成を詳細に示す図である。
ドラムユニット２１０は、複数（本実施の形態では３つ）の回転ドラム２２０が、ドラム保持部材２３０に連結されて構成される。
【００２０】
ドラム保持部材２３０は、回転ドラム２２０を回転及び停止させるステッピングモータ（以下単に「モータ」という。）２３１を、回転ドラム２２０と同数（本実施の形態では３つ）有している。つまり、複数（本実施の形態では３つ）のモータ２３１が、１つのモータ保持部材２３２に取り付けられている。そして、各モータ２３１は、モータ保持部材２３２に設けられているモータ台座２３２ａに、モータの出力軸２３１ａ側からねじ２３１ｂにて締結されることにより、モータ保持部材２３２に固定される。モータ保持部材２３２は、モータ２３１に対して制御信号などを供給する基板（不図示）を有しており、この基板から複数（本実施の形態では３つ）のモータ２３１に対して制御信号が送られる。
【００２１】
モータ２３１の出力軸２３１ａには、この出力軸２３１ａと回転ドラム２２０とを同期して回転させるためのドラムフランジ２３３がねじ２３４によって固定されている。ドラムフランジ２３３によって、モータの回転駆動力が回転ドラム２２０に伝達されるため、ドラムフランジ２３３は、伝達部材として機能する。回転ドラム２２０は、複数（本実施の形態では２つ）のねじ２３５を、後述する締結部２２１（図５参照）の孔２２１ａ（図５参照）に通し、ドラムフランジ２３３に形成されたねじ孔２３３ａにねじ込むことによりドラムフランジ２３３に固定される。なお、ドラムフランジ２３３は、モータ２３１の回転軸に対して垂直な締結面を有しており、回転ドラム２２０の締結部２２１（図５参照）は、モータ２３１の回転軸に対して垂直な締結面を有している。それゆえ、回転ドラム２２０は、モータ２３１の回転とともにモータ２３１の回転軸心を回転中心として回転する。
【００２２】
そして、複数（本実施の形態では３つ）の回転ドラム２２０がドラム保持部材２３０に連結されてドラムユニット２１０が構成された後に、ドラムユニット２１０が収納ケース２５０内に収納される。
そして、複数（本実施の形態では３つ）のドラムユニット２１０が、収納ケース２５０内に所定間隔を置いて互いに隣接して収納される。収納ケース２５０の前面には開口部２５０ａが形成されており、この開口部２５０ａから各ドラムユニット２１０の回転ドラム２２０に付されている図柄が露出する。また、収納ケース２５０の側面および裏面には、スリット２５０ｂが複数形成されている。
【００２３】
そして、収納ケース２５０内に、複数（本実施の形態では３つ）のドラムユニット２１０が収納された後に、収納ケース２５０の開口部２５０ａがケースカバー３００にて覆われる。ケースカバー３００には、回転ドラム２２０と同数（本実施の形態では９つ）の窓３００ａが形成されており、この窓３００ａを介して回転ドラム２２０に付された図柄が露出し、遊技者に見えるようになっている。
【００２４】
液晶表示部４００は、保護ガラス４０２と表示板４０３とからなる正面パネル４０１と、透明液晶パネル４０４と、導光板４０５と、反射フィルム４０６と、所謂白色光源である蛍光ランプ（不図示）と、ランプホルダ（不図示）とを有する。また、液晶表示部４００は、透明液晶パネル４０４を駆動するためのＩＣを搭載したテーブルキャリアパッケージ（ＴＣＰ）（不図示）を備えており、ＴＣＰは、透明液晶パネル４０４の端子部に接続したフレキシブル基板（不図示）等により構成される。
この液晶表示部４００は、上述したように、ケースカバー３００よりもパチンコ遊技機１００の前面側に、ケースカバー３００と予め定められた間隔をあけて配置されている。
【００２５】
保護ガラス４０２及び表示板４０３は、透明な部材で構成されている。表示板４０３は、絵柄等を記すために設けられているが、絵柄等を記さない仕様の遊技機においては省いてもよい。
透明液晶パネル４０４は、薄膜トランジスタ層が形成されたガラス板等の透明な基板と、これに対向する透明な基板との間隙部に液晶が封入されて形成されている。この透明液晶パネル４０４の表示モードは、ノーマリーホワイトに設定することが好適である。ノーマリーホワイトとは、液晶を駆動していない状態で白表示（表示面側に透過した光が外部より視認可能である）となる構成である。ノーマリーホワイトに構成された透明液晶パネル４０４を採用することにより、液晶を駆動することができない事態が生じた場合であっても、回転ドラム２２０により表示された図柄を視認することができ、遊技を継続することができる。
【００２６】
導光板４０５は、蛍光ランプ（不図示）からの光を透明液晶パネル４０４へ導き出す（透明液晶パネル４０４を照明する）ためのものであり、透明液晶パネル４０４の裏側に設けられ、例えば、２ｃｍ程度の厚さを有するアクリル系樹脂等の透明部材（導光機能を有する）で構成されている。
反射フィルム４０６は、例えば、白色のポリエステルフィルムやアルミ薄膜に銀蒸着膜を形成したものが用いられ、導光板４０５に導入された光を導光板４０５の正面側へ向けて反射させる。
【００２７】
不図示の蛍光ランプの一部は、導光板４０５の上端部及び下端部に沿って配置されており、これらの蛍光ランプから照射される光は、反射フィルム４０６で反射して透明液晶パネル４０４を照明する。また、他の蛍光ランプは、反射フィルム４０６の裏側の上方位置及び下方位置に図柄表示ユニット２００に向かって配置されている。これらの蛍光ランプから出て回転ドラム２２０の表面で反射した光は、透明液晶パネル４０４を照明する。
【００２８】
次に、回転ドラム２２０について説明する。
図５は、回転ドラム２２０の詳細な形状を示す図であり、図５（ａ）は、回転ドラム２２０の斜視図であり、図５（ｂ）は、図５（ａ）のＸ方向（モータ２３１の出力軸２３１ａ側）から回転ドラム２２０を見た図である。また、図６は、回転ドラム２２０がドラム保持部材２３０に取り付けられた状態での図５（ｂ）に示すＹ方向の断面を示す図である。
【００２９】
回転ドラム２２０は、ドラムフランジ２３３に締め付けられる締結部２２１と、図柄が付された薄肉円筒状の図柄貼付部２２２と、締結部２２１と図柄貼付部２２２とを連結する連結部２２３とを有する。また、回転ドラム２２０には、図柄貼付部２２２の内周面に攪拌部の一例としての羽根２２４が形成されている。
締結部２２１は、モータ２３１の回転軸に対して垂直な締結面２２１ｐを有する。また、締結部２２１には、ねじ２３５を通すための２つの孔２２１ａと、ドラムフランジ２３３の先端部２３３ｂ（図５参照）と嵌め合わされる孔２２１ｂとが形成されている。なお、ドラムフランジ２３３の先端部２３３ｂの外形は、回転軸方向から見ると、円の一部が半月状に切り落とされた形状をしており、孔２２１ｂの形状も同様に円の一部が半月状に切り落とされた形状である（図５（ｂ）参照）。
【００３０】
連結部２２３は、締結部２２１から連続的に図柄貼付部２２２へ延びている。本実施の形態に係る回転ドラム２２０においては、円周方向に等間隔（本実施の形態では９０度間隔）で複数（本実施の形態では４つ）の連結部２２３が、締結部２２１から放射状に図柄貼付部２２２へ延びている。
なお、本実施の形態に係る締結部２２１と連結部２２３とは同じ肉厚で連続していることから締結部２２１と連結部２２３との境界はなく、図示もしていない。しかしながら、例えば、締結部２２１の肉厚を連結部２２３の肉厚よりも厚くするなど、これらの肉厚に差異を持たせてもよい。
【００３１】
図柄貼付部２２２は、薄肉円筒状である。図柄貼付部２２２の外周面２２２ａには、図柄が記載されたフィルムが接着等により貼付されるなどして図柄が付されている。一方、内周面２２２ｂ側には、複数（本実施の形態では４つ）の羽根２２４が設けられている。
羽根２２４は、内周面２２２ｂから内側に突出している。また、羽根２２４は、回転ドラム２２０の回転軸方向の一端側から他端側へ板状に延びるように形成されている。
【００３２】
羽根２２４は、回転ドラム２２０の内側の空気を攪拌するためおよび回転軸方向に送風するために設けられており、特にモータ２３１の駆動に起因して発生する熱により回転ドラム２２０などの温度が上昇することを抑制する。
それゆえ、より多くの空気を攪拌および送風するという観点からは、羽根２２４の、回転ドラム２２０の内周面２２２ｂから内側に突出する面積（空気を攪拌する面積）はできる限り大きいことが好ましい。したがって、羽根２２４の回転ドラム２２０の内周面２２２ｂから内側に突出する高さＨ（図６参照）は、できる限り高いことが好ましい。また、羽根２２４の長さＬ（図５参照）はできる限り長いことが好ましい。
【００３３】
本実施の形態に係る羽根２２４においては、上述した、より多くの空気を攪拌および送風するという観点に加えて、回転ドラム２２０をより簡易に成形するという観点をも考慮して、以下のようにして羽根２２４の形状を定めている。
羽根２２４の長さＬをできる限り長くするべく、また、空気をより多く攪拌するとともに回転軸方向に送ることができるように、回転ドラム２２０の回転軸方向の一端側から他端側にかけて湾曲させる。例えば、図５に示すように、羽根２２４を、回転ドラム２２０の回転軸方向の端部から締結面２２１ｐにかけて螺旋状に湾曲させる。
【００３４】
そして、羽根２２４を設ける領域を、回転ドラム２２０の回転軸方向のモータ２３１側の端部から締結部２２１の締結面２２１ｐまでとする。これは、以下の理由による。つまり、回転ドラム２２０を成形するにあたって、回転ドラム２２０の回転軸方向にスライドさせる成形型を用い、材質を例えば樹脂とする射出成形を行う。それゆえ、上述したように羽根２２４を、回転ドラム２２０の回転軸方向の一方の端部から他方の端部まで湾曲させて形成した場合には、成形型の構造が複雑になってしまったり、相対的にスライドさせる２つの成形型の型割の関係上羽根２２４の肉厚が極度に厚くなってしまったりする。これらを防ぐために、締結部２２１を境にして回転ドラム２２０の回転軸方向のいずれか一方の側にのみ羽根２２４を設けることが好適である。そこで、本実施の形態においては、モータ２３１周辺をより多く攪拌するとともにモータ２３１周辺の空気を回転軸方向に送るために、回転ドラム２２０の回転軸方向のモータ２３１側の端部から締結部２２１の締結面２２１ｐまで、羽根２２４を設けている。
【００３５】
また、本実施の形態に係る羽根２２４においては、回転ドラム２２０の内周面２２２ｂから内側に突出する高さＨをできる限り高くするべく、回転ドラム２２０の内側に配置されている物と干渉しない範囲で羽根２２４と対向する物とを近接させるように高さＨを定めている。つまり、本実施の形態に係るドラムユニット２１０においては、回転ドラム２２０の内側に、内周面２２２ｂと対向するようにモータ２３１およびモータ保持部材２３２が配置されているので、これらとの半径方向のクリアランスＣＬをできる限り小さくする。
【００３６】
図６には、羽根２２４と、回転ドラム２２０の内側に存在する物とのクリアランスを簡易的に示している。図６に示すように、本実施の形態に係るドラムユニット２１０においては、モータ保持部材２３２のモータ台座２３２ａの方が、モータ２３１のコイルが内蔵されているモータ本体２３１ｃよりもより内周面２２２ｂに近い。そして、モータ２３１から発生する熱は主にコイルから発生する熱であると考えられる。そのため、羽根２２４の高さを２段階にし、主にモータ台座２３２ａに対向する部位２２４ａの高さと、主にモータ本体２３１ｃに対向する部位２２４ｂの高さとを異ならせている。そして、コイルが内蔵されているモータ本体２３１ｃに対向する部位２２４ｂにおける羽根２２４の高さＨは、モータ２３１の外形に干渉しない範囲で羽根２２４をモータ２３１に近接させるように定めている。なお、上述したように、羽根２２４は回転ドラム２２０の回転軸方向には螺旋状に湾曲しているが、図６においては、簡易的に直線的に示している。
【００３７】
上述したような形状の回転ドラム２２０を有するドラムユニット２１０においては、モータ２３１の回転駆動により、回転ドラム２２０が回転する。それとともに、回転ドラム２２０の内周面２２２ｂに形成された羽根２２４が回転する。これにより、モータ２３１が駆動することにより熱が発生したとしても、羽根２２４がモータ２３１周辺の空気を攪拌する。また、羽根２２４が螺旋状に湾曲しているので、モータ２３１周辺の空気が、回転軸方向に送られ、回転ドラム２２０内部であってモータ２３１が収まっていない領域へ移動する。また、さらに、モータ２３１周辺の空気が、回転ドラム２２０とドラム保持部材２３０との間を通り回転ドラム２２０外部へと送られる。
【００３８】
本実施の形態における図柄表示ユニット２００においては、基板を有する１つのモータ保持部材２３２に３つのモータ２３１が取り付けられてドラム保持部材２３０が構成されている。そして、このドラム保持部材２３０に３つの回転ドラム２２０が装着されて１つのドラムユニット２１０を構成した上で、３つのドラムユニット２１０が収納ケース２５０内に所定間隔を置いて互いに隣接して収納される。すなわち、互いに隣接するドラムユニット２１０のモータ２３１が存在する領域は、モータ保持部材２３２で仕切られている。それゆえ、モータ２３１の駆動に起因して発生したモータ２３１の熱を、回転ドラム２２０の内部から外部へモータ２３１の回転軸方向に排出することは困難となるおそれがある。
また、本実施の形態に係る画像表示部１１４においては、図柄表示ユニット２００の前面側には液晶表示部４００を配置しているので、図柄表示ユニット２００と液晶表示部４００との間の隙間が小さくなる場合がある。
【００３９】
しかしながら、本実施の形態に係る画像表示部１１４においては、上述したように、回転ドラム２２０の内周面２２２ｂに羽根２２４を設け、この羽根２２４で、モータ２３１周辺の空気を攪拌することで、回転ドラム２２０を含めた図柄表示ユニット２００が高温になることを簡易な構成で抑制することができる。そして、モータ２３１が高温になることを抑制できるため、モータ２３１のトルク低下を抑制することができる。それゆえ、高出力のモータ２３１を使用する必要がなく、部品コストの低減を図ることができる。
【００４０】
また、羽根２２４は、例えば螺旋状に湾曲しているため、回転ドラム２２０の回転軸方向にも送風する。これにより、モータ２３１の駆動に起因して発生した熱を伴った空気が、回転ドラム２２０とモータ保持部材２３２との隙間から回転ドラム２２０の外部へ送られ、例えば、収納ケース２５０の側面および裏面に形成されたスリット２５０ｂから画像表示部１１４の外部へ排出される。それゆえ、さらに、回転ドラム２２０を含めた図柄表示ユニット２００が高温になることを抑制することができる。そして、モータ２３１が高温になることを抑制でき、トルク低下を抑制することができるため、高出力のモータ２３１を使用する必要がなく、部品コストの低減を図ることができる。
【図面の簡単な説明】
【００４１】
【図１】本実施の形態に係るパチンコ遊技機の概略正面図である。
【図２】画像表示部の正面図である。
【図３】画像表示部の構成を示す図である。
【図４】ドラムユニットの構成を詳細に示す図である。
【図５】回転ドラムの詳細な形状を示す図であり、（ａ）は、回転ドラムの斜視図であり、（ｂ）は、（ａ）のＸ方向から回転ドラムを見た図である。
【図６】回転ドラムがドラム保持部材に取り付けられた状態での図５（ｂ）に示すＹ方向の断面を示す図である。
【符号の説明】
【００４２】
１００…パチンコ遊技機、１１４…画像表示部、２００…図柄表示ユニット、２１０…ドラムユニット、２２０…回転ドラム、２２１…締結部、２２２…図柄貼付部、２２３…連結部、２２４…羽根、２３０…ドラム保持部材、２３１…ステッピングモータ、２３２…モータ保持部材、２３３…ドラムフランジ、２３４，２３５…ねじ、２５０…収納ケース、３００…ケースカバー、４００…液晶表示部、５００…外枠
【図１】
2010115400.tif 000003
【図２】
2010115400.tif 000004
【図３】
2010115400.tif 000005
【図４】
2010115400.tif 000006
【図５】
2010115400.tif 000007
【図６】
2010115400.tif 000008